(57)【特許請求の範囲】
【請求項１】
表面が所定の大きさの領域を有する複数の建築材料を連続的に配置することによって形成された壁面に設けられる壁面画装置であって、
シート状の基材層と前記基材層の表面に形成された画像層とによって画像シートが構成されており、
前記画像シートは、その外縁部の少なくとも一部が、前記複数の建築材料の表面の境界部分によって形成される形状に沿った形状に一致するように形成され、
前記画像層には、前記壁面において前記複数の建築材料の表面によって形成される形状と同じ形状を表す画像を背景とした画像が形成され、
前記画像シートは、その外縁部の少なくとも一部が前記複数の建築材料の表面の境界部分によって形成される形状に一致するように配置され、これによってその周縁部において前記背景として形成された画像が前記壁面において前記複数の建築材料の表面によって形成された形状と連続するような状態に配置されて、前記壁面に固定されてなる、
ことを特徴とする壁面画装置。
【請求項２】
前記基材層は、アルミニウム合金からなるシート状材の表面に樹脂皮膜が形成されてなり、
前記画像層は、画像の印刷された樹脂フィルムが前記基材層の表面に熱圧着により固定されて形成されてなる、
請求項１記載の壁面画装置。
【請求項３】
前記画像シートは、複数の画像シート部材が連続して配置されることによって構成されてなる、
請求項１又は請求項２記載の壁面画装置。
【請求項４】
表面が所定の大きさの領域を有する複数の建築材料を連続的に配置することによって形成された壁面に設けられる壁面画を製造する方法であって、
シート状の基材層と前記基材層の表面に形成された画像層とによって画像シートを作製し、
その際に、前記画像シートを、その外縁部の少なくとも一部が前記複数の建築材料の表面の境界部分によって形成される形状に沿った形状に一致するように形成し、且つ、前記画像層に、前記壁面において前記複数の建築材料の表面によって形成される形状と同じ形状を表す画像を背景とした画像を形成し、
前記画像シートを、その外縁部の少なくとも一部が前記複数の建築材料の表面の境界部分によって形成される形状に一致するように配置し、これによってその周縁部において前記背景として形成された画像が前記壁面において前記複数の建築材料の表面によって形成された形状と連続するように配置した状態で、前記画像シートの裏面の全体を前記壁面に対して接着により固定し、且つ、前記画像シートの周縁部の複数箇所において、当該画像シートを貫通するネジ又はクギによって前記壁面に固定する、
ことを特徴とする壁面画の製造方法。
【発明の詳細な説明】
【０００１】
【発明の属する技術分野】
本発明は、ビルディングなどの壁面に設けられる壁面画装置及びその製造方法に関する。
【０００２】
【従来の技術】
従来において、公告又は宣伝のために、大きな看板を製作してビルディングの壁面に取り付けることが行われている。
【０００３】
また、画像や文字を壁面に直接的に描くことによって壁面画を製作することも行われている。
【０００４】
【発明が解決しようとする課題】
しかし、看板をビルディングの壁面に取り付ける方法では、自由な内容の看板を製作することが可能である。しかし、取り付けられた看板は、誰が見ても看板であことが分かるため、看板の内容が如何に刺激的であっても、見た者に与える印象の強さには限界がある。
【０００５】
また、画像や文字を壁面に直接的に描く方法では、その描き方によってはリアリティに富むが、広い壁面に塗料でペイントするには極めて多大な時間と労力を要する。また、如何に画像を精密に描いた場合でも、見た者に対してそれが画像ではなく実物であると感じさせる程に精密に描くことは、実際には不可能である。
【０００６】
本発明は、上述の問題に鑑みてなされたもので、自由な内容の画像を、リアリティを損なうことなく、比較的に簡単にビルディングなどの壁面に設けることのできる壁面画装置及びその製造方法を提供することを目的とする。
【０００７】
請求項１の発明に係る装置は、表面が所定の大きさの領域を有する複数の建築材料を連続的に配置することによって形成された壁面に設けられる壁面画装置であって、シート状の基材層と前記基材層の表面に形成された画像層とによって画像シートが構成されており、前記画像シートは、その外縁部の少なくとも一部が、前記複数の建築材料の表面の境界部分によって形成される形状に沿った形状に一致するように形成され、前記画像層には、前記壁面において前記複数の建築材料の表面によって形成される形状と同じ形状を表す画像を背景とした画像が形成され、前記画像シートは、その外縁部の少なくとも一部が前記複数の建築材料の表面の境界部分によって形成される形状に一致するように配置され、これによってその周縁部において前記背景として形成された画像が前記壁面において前記複数の建築材料の表面によって形成された形状と連続するような状態に配置されて、前記壁面に固定されてなる。
【０００８】
請求項２の発明に係る装置では、前記基材層は、アルミニウム合金からなるシート状材の表面に樹脂皮膜が形成されてなり、前記画像層は、画像の印刷された樹脂フィルムが前記基材層の表面に熱圧着により固定されて形成されてなる。
【０００９】
請求項３の発明に係る装置では、前記画像シートは、複数の画像シート部材が連続して配置されることによって構成されてなる。
請求項４の発明に係る方法は、表面が所定の大きさの領域を有する複数の建築材料を連続的に配置することによって形成された壁面に設けられる壁面画を製造する方法であって、シート状の基材層と前記基材層の表面に形成された画像層とによって画像シートを作製し、その際に、前記画像シートを、その外縁部の少なくとも一部が前記複数の建築材料の表面の境界部分によって形成される形状に沿った形状に一致するように形成し、且つ、前記画像層に、前記壁面において前記複数の建築材料の表面によって形成される形状と同じ形状を表す画像を背景とした画像を形成し、前記画像シートを、その外縁部の少なくとも一部が前記複数の建築材料の表面の境界部分によって形成される形状に一致するように配置し、これによってその周縁部において前記背景として形成された画像が前記壁面において前記複数の建築材料の表面によって形成された形状と連続するように配置した状態で、前記画像シートの裏面の全体を前記壁面に対して接着により固定し、且つ、前記画像シートの周縁部の複数箇所において、当該画像シートを貫通するネジ又はクギによって前記壁面に固定する。
【００１０】
本発明において、画像シートの外縁部が前記複数の建築材料の表面の境界部分によって形成される形状に沿った形状に一致するように形成されることによって、画像シートと建築材料との境界部分が目立たず、画像シートの画像と壁面との見分けがつきにくくなる。
【００１１】
【発明の実施の形態】
図１は本発明に係る壁面画装置１の例を示す正面図、図２は壁面画装置１の画像シート１１を示す図、図３は画像シート１１の一部を示す図、図４は画像シート１１の一部の断面を拡大して示す図である。
【００１２】
図１において、壁面画装置１は、ビルディングＢＬＤの壁面ＷＡＬに取り付けられている。壁面ＷＡＬは、表面が長方形の領域を有する多数の建築材料ＢＭＡ、例えば、煉瓦、煉瓦風のブロック材、その他のブロック材などからなり、これらの建築材料ＢＭＡを連続的に配置することによって形成されている。
【００１３】
壁面画装置１は、壁面ＷＡＬの表面に画像シート１１が固定されることによって構成されている。
図４によく示されるように、画像シート１１は、シート状の基材層２１、及び基材層２１の表面に形成された画像層２２によって構成されている。なお、画像シート１１は、サイズが小さい場合には全体として１枚の画像シートによって構成される場合もあるが、画像シート１１のサイズが大きい場合には、画像シート１１と同様な構成の複数の画像シート部材が連続して配置されて構成される。
【００１４】
図４によく示されるように、基材層２１は、アルミニウム合金からなるシート状材２１１の表面に樹脂皮膜２１２，２１３が形成されてなっている。
シート状材２１１は、その材料が、例えば厚さが十分の数ミリメートル、具体的には０．２ミリメートル、幅１００〜２００センチメートル、長さが数メートルから数百メートル以上の長いものであり、これを適当な長さに切断して用いる。樹脂皮膜２１２，２１３は、例えば、白色のポリエステル系の樹脂による数ミクロン〜数十ミクロン程度の膜厚の樹脂皮膜である。樹脂皮膜２１２，２１３は、例えば焼き付け塗装によって形成される。このようなシート状材２１１は、軽量であり、持ち運びに便利であり、且つ施工し易い。
【００１５】
画像層２２は、画像の印刷された樹脂フィルム２２１が、基材層２１の表面に熱圧着により固定されて形成される。画像層２２には、壁面ＷＡＬの状態を表す画像を基調とした画像ＦＧ１が印刷される。本実施形態においては、画像ＦＧ１は、煉瓦又は煉瓦風ブロック材を交互に積み上げた状態を表す画像を基調とした画像である。画像ＦＧ１は、実際の壁面ＷＡＬの状態と、その形状、色、質感などにおいて、極めて類似しており、離れて見た目には違いが分からない。画像シート１１の中央部には、壁面ＷＡＬを破ってウイスキーの瓶を突き出した状態を示す画像ＦＧ２が形成されている。
【００１６】
樹脂フィルム２２１への印刷は、インクジェット方式、熱転写方式、電子写真方式など、種々の方式のプリンタ装置及びコンピュータを用いて行われる。画像ＦＧ１，２の内容としては、撮影によって得られた写真画像、ＣＧ（コンピュータグラフィクス）で作成された画像、それらを組み合わせた画像など、種々の画像が用いられる。印刷の分解能は、画像シート１１のサイズにもよるが、１００〜４００ｄｐｉ程度、例えば２００ｄｐｉ程度とされる。樹脂フィルム２２１の表面には、印刷が行われた後に、保護膜２２２が形成される。
【００１７】
このようにして製作された画像シート１１は、その外縁部の一部又は全部が建築材料ＢＭＡの表面の形状に沿った形状に一致するように形成されている。つまり、図３によく示されるように、画像シート１１の外縁部が、建築材料ＢＭＡを交互に積み上げた形状と一致するように形成される。これによって、画像シート１１を壁面ＷＡＬに固定したときに、壁面ＷＡＬと画像シート１１の画像ＦＧ１との境界部分が目立たず、それらの相違が目立たないので、見た者には画像シート１１の画像ＦＧ１と壁面ＷＡＬとの見分けがつかない。
【００１８】
画像シート１１は、その周縁部の画像ＦＧ１が壁面ＷＡＬの状態と連続するように配置され、その状態で、両面接着テープ２３により壁面ＷＡＬに接着されて固定されている。また、画像シート１１の周囲の補強のため、画像シート１１の周縁部の複数箇所において、画像シート１１を貫通するタッピングネジ２４によって壁面ＷＡＬに固定されている。
【００１９】
本実施形態において、画像ＦＧ２は、壁面ＷＡＬを破ってウイスキーの瓶を突き出した状態を示す画像であり、壁面ＷＡＬを表す画像ＦＧ１が実際の壁面ＷＡＬと区別がつかないので、画像ＦＧ２で示されるように壁面ＷＡＬを破った状態が極めてリアルであり、これを見た者は、実際に巨大なウイスキーの瓶が壁面ＷＡＬから突き出ているかのように感じる。
【００２０】
しかも、画像シート１１又は画像シート部材自体は、工場などにおいて製作して予め準備しておくことができるので、壁面ＷＡＬへの取り付けのための施工は短時間で容易に行うことができる。したがって、画像シート１１の壁面ＷＡＬへの取り付けを例えば夜間のうちに行うことによって、前日までは何も無かった壁面ＷＡＬに翌日は壁面画装置１が突如として出現するのであるから、それを見る者へのインパクトが強い。因みに、従来のように画像を壁面に直接的に描く方法では、描き上げるまでに多くの日数を要し且つその間においてその様子が人の目に触れるので、それが完成した場合であってもインパクトが弱い。
【００２１】
上述の実施形態において、画像シート１１を複数の画像シート部材から構成する場合には、壁面ＷＡＬの建築材料ＢＭＡの何らかの境界部分から分割して構成すればよい。タッピングネジ２４の他、適当なネジ又はクギなどを用いることができる。画像ＦＧ２として任意の画像を用いることができる。建築材料ＢＭＡとして、表面の形状が、三角形、五角形、六角形、八角形、その他の多角形、十字形、その他の種々の形状のものに適用できる。また、各建築材料ＢＭＡが独立しているのではなく、コンクリートの表面に溝を設けたものであっても、その溝が表面の形状を表すものとして本発明を適用することができる。本発明は、ビルディングＢＬＤの壁面ＷＡＬの他、種々の建築物、船舶、航空機、又は機械装置などの壁面に適用することができる。
【００２２】
画像シート１１又は壁面画装置１の構成、形状、寸法、材料、施工方法などは、本発明の趣旨に沿って適宜変更することができる。
【００２３】
【発明の効果】
本発明によると、自由な内容の画像を、リアリティを損なうことなく、比較的に簡単にビルディングなどの壁面に設けることができる。
【００２４】
また、リアリティがあるので、看板の内容に応じて、見た者に強い印象を与えることができる。
【図面の簡単な説明】
【図１】本発明に係る壁面画装置の例を示す正面図である。
【図２】壁面画装置の画像シートを示す図である。
【図３】画像シートの一部を示す図である。
【図４】画像シートの一部の断面を拡大して示す図である。
【符号の説明】
１  壁面画装置
１１  画像シート
２１  基材層
２２  画像層
２４  タッピングネジ（ネジ又はクギ）
２１１  シート状材
２１２，２１３  樹脂皮膜
ＷＡＬ  壁面
ＢＭＡ  建築材料
ＦＧ１，ＦＧ２  画像
【図１】
0004130017.tif 000002
【図２】
0004130017.tif 000003
【図３】
0004130017.tif 000004
【図４】
0004130017.tif 000005